(57)【要約】【課題】従来のものは、配設したインバートの外側をコンクリートで打設しなければならいので設置に不便である。また排水の酸性・アルカリ性の度合いや温度によっては、流路の損傷が激しい場合や損傷により排水中の汚物が堆積して使用できない場合があった。コンクリートの場合は衛生面での問題もあった。【解決手段】本発明は、ステンレス製の集水桝のケースにステンレス製の排水用の水路を配置し、この水路の形状に沿って前記ケース１の各壁面から水路に向って下向きのステンレス製の斜面板を有する斜面部を形成し、前記本体ケースと水路と斜面部とを接合した形の構造とした。【選択図】図２  
2005256307.tif 000002
【特許請求の範囲】
【請求項１】
ステンレス製の集水桝のケース１にステンレス製の排水用の水路２を配置し、この水路２の形状に沿って前記ケース１の各壁面（４，５、１２，１３）から水路２に向って下向きのステンレス製の斜面板を有する斜面部（Ａ，Ｂ，Ｃ，Ｄ）を形成し、前記本体ケースと水路と斜面部とを接合した形の構造を特徴とするステレス製集水桝。
【請求項２】
前記斜面部において、Ｌ字状に曲がった水路２の内側面に前記ケース１のコーナーに繋がる各壁面（４，５）から水路２に斜め下側に向って配置された斜面板６と、前記コーナー３に対向する側のコーナー１１に繋がる各壁面（１２，１３）から水路外側面に斜め下側に向って配置された斜面板１７とを有する請求項１のステレス製集水桝。
【請求項３】
複数の水路を有するステレス製集水桝において、前記ケース１の各壁面（４，５、１２，１３）から、各水路の端面に向って斜め下側方向に配置された斜面板を有する請求項１のステレス製集水桝。
【発明の詳細な説明】
【技術分野】
【０００１】
本発明は、マンホール、下水桝、集水桝（以下、総称して集水桝という。）などの雨水、雑排水、汚水などを円滑に導くためのインバートを備えた集水桝に関し、特に桝内部をステンレスで構成した集水桝に関する。
【背景技術】
【０００２】
従来の集水桝のインバートは、モルタル層にＦＲＰを被せたもの、樹脂モルタル層にプラスチック水路材を被せたもの、塩化ビニル製などがあり、このインバートを桝に配設し、その外側をコンクリートで打設したものがある（特開2001−40755号公報）。
【０００３】
従来のものは、配設したインバートの外側をコンクリートで打設しなければならいので、生コンクリートを配送するか、現場での混合作業・打設をしなければならないので、設置に不便である。また排水の酸性・アルカリ性の度合いや温度によっては、流路の損傷が激しい場合や損傷により排水中の汚物が堆積して使用できない場合があった。またコンクリートの場合は衛生面での問題もあった。
【０００４】
【特許文献１】特開２００１−４０７５５号公報
【特許文献２】特開２００１−３２３５５３号公報
【特許文献３】特開２００２−３３９４４１号公報
【発明の開示】
【発明が解決しようとする課題】
【０００５】
本発明の解決しようとする課題は、これら欠点に鑑み、排水の性状による影響を受けにくく、衛生管理が容易なステンレス製の集水桝を提供することにある。
【課題を解決するための手段】
【０００６】
本発明は、従来と同様にＴ字状またはＹＴ字状またはＬ字状の湾曲部を有する流路形状をしており、
（１）ステンレス製エルボ管をほぼ2分割した形状のもの
（２） 直線形のステンレスパイプをほぼ2分割した形状のもの、または鋼板を半円筒状に成型加工したもの
を組み合わせて水路を作り、かつこの水路に若干の勾配をつけて集水桝内に配置するとともに、基本的な形状として
（ａ）Ｌ字状の湾曲中心側に位置するコーナーと、相対する側のコーナーの個所に接合する各面に、湾曲する水路に向って斜め下向きの斜面板を配置し、
（ｂ）かつ、この斜面板のＬ字状湾曲端部と対応する水路の湾曲部分との間に垂直に立ち上がる湾曲垂直壁部を配置した構成にする。湾曲する水路の両側に沿って、お互いに対向してステンレスの湾曲垂直壁部とステンレスの斜め下向きの斜面板で集水桝の流路を構成している。
【０００７】
このように基本形をステンレスの湾曲水路と湾曲垂直壁部と斜め下向きの斜面板とで構成することによって、汚水の酸性・アルカリ性等の性状による影響を受けないこと、排水に含まれる汚物の堆積がしにくいこと等の長所を有する集水桝を提供できる。
【発明を実施するための最良の形態】
【０００８】
実施例１に、本発明の一つの実施例である基本的な実施例を示す。
実施例２に本発明の一つの実施例である他の実施例を示す。
実施例３に本発明の一つの実施例である他の実施例を示す。
【実施例１】
【０００９】
図を参照して以下、本発明に係る一実施例の基本形を詳細に説明する。
図１に本発明を理解しやすくするために2つの入口を有するＹＴ字状の集水桝の概略斜視図を示す。この図から明らかなように、集水桝の本体ケース１のＬ字状に湾曲する水路２の中心側のコーナー３に接する壁面４、５に、湾曲する水路２に向って斜め下向きの斜面板６を配置し、
この斜面板６のＬ字状湾曲端部７に対応する水路２の湾曲部分８との間にほぼ垂直に立ち上がる湾曲垂直壁部９を配置した構成にする
図１のコーナー３に対向する側にもコーナーに接する各面に同様に斜面板と垂直壁部（図示しない）が配置されている。
【００１０】
以下にＬ字状を基本形として詳細に説明する。図２は、基本形に係る集水桝の平面図である。図3の各（ａ），（ｂ），（ｃ）図は、要部の分解図である。図１と同じ部分は、同符号を使用して説明する。
【００１１】
図３（ｂ）に示すステンレス製エルボ管１０をほぼ2分割した形状をしている水路２の湾曲中心側の端面８に沿って、図３（ｃ）に示すようにほぼ垂直に立ち上がる湾曲垂直壁部９とこの垂直壁部９と端面７で接合しており、かつ図２に示すコーナー３の壁面４，５から湾曲する水路２に向って斜め下向きの斜面板６を配置してコーナー斜面部Ａを構成している。お互いの端面は接合されている。
【００１２】
コーナー３に対向する反対側のコーナー１１の面１２，１３に同様に水路２の湾曲中心側の反対側の端面１４に沿って、（ａ）に示すようにほぼ垂直に立ち上がる湾曲垂直壁部１５とこの垂直壁部１５と端面１６で接合している湾曲する水路２に向って斜め下向きの斜面板１７を配置してコーナー斜面部Ｂを構成している。１８は水路２の両端部にある配管用のフランジである。図３の（ａ）、（ｂ）、（ｃ）が接合された状態が図２の平面図で示されている。
【実施例２】
【００１３】
基本形を応用したＹＴ形の変形例を説明する。概略は図1を使って上記で説明したが、図４に流路がＹＴ形の平面図を示し図５にその要部の斜視図を示す。
ＹＴ字状の水路１９は前記半円形状でＬ字状に湾曲した水路２と前記直線形のステンレスパイプをほぼ2分割した形状の水路２０を接合した形の水路である。端部にはフランジ１８がある。図４のコーナー３にある斜面板の形状は、図１、図2，図３（ｃ）で説明した構造とほぼ同一であるので、同符号を付して説明を省略する。
【００１４】
図４に示すようにＬ字状に湾曲した水路２の入口のコーナー２１に接合する壁面２２と２３に図５（ａ）に示すコーナー斜面部Ｃが配置される。コーナー斜面部Ｃは、コーナー２１に接する壁面４の壁面２２，壁面２３に上記と同様に水路２の湾曲中心側の反対側の端面１４に沿って、（ａ）に示すようにほぼ垂直に立ち上がる湾曲垂直壁部１５とこの垂直壁部１５と端面１６で接合している湾曲する水路２に向って斜め下向きの斜面板２４を配置している。コーナー斜面部Ｃの側面２５は、（ｂ）図で示すように直線水路２０の端部２６と接合する台形側面２７となっている。
図５には図示していないが、コーナー２８と２９のある壁面３０には、コーナー斜面部Ａ，Ｂ，Ｃと同様に水路２０の直線端部３１に沿って垂直に立ち上がる垂直壁部３２と水路２０に向って斜め下向きの斜面板３３を配置したコーナー斜面部Ｄがある。
【００１５】
図６に図４の矢視A-Aからみた断面図を示す。符号Aがコーナー３にある斜面部、符号Ｄが壁面３０に配置された斜面部である。３４はケース１の支柱である。同符号個所は同じ部分を示す。
【００１６】
図7に図４の矢視Ｂ-Ｂからみた断面図を示す。直線水路２０の向こう側の壁面４の左側にコーナー斜面部Ｃ、右側にコーナー斜面部Ａが見える。同符号個所は同じ部分を示す。
【００１７】
図８は図４の底面を示す図である。水路２が左側にＬ字状に曲がったＹＴ字状の水路の配管をしてもよい。この場合は、斜面部ＡとＣが入れ替わった形状となる。
【実施例３】
【００１８】
図９（ａ）、（ｂ）、（ｃ）に本発明の一つの実施例である基本形を応用した変形例を示す。上記で詳細に説明したので、個々の詳細説明は省略する。
図（ａ）は３つの入口があるケースである。において、符号４１、４２、４３は水路５１，５２，５３の入口であり、それぞれ接合され水路５０となり、出口４４に繋がる。水路の端部に沿って形成される斜面部は、コーナー３には基本的な斜面部Ａ、コーナー２１には、斜面部Ｃに類似したＣ１，コーナー２８には、斜面部Ｃに類似したＣ２，コーナー２９には、斜面部Ａに類似したＡ１の斜面部となる。
【００１９】
図（ｂ）は２つの入口があるケースである。符号４１、４３は水路５１、５３の入口であり、それぞれ接合され水路５０となり、出口４４に繋がる。水路の端部に沿って形成される斜面部は、コーナー３には基本的な斜面部Ａ、コーナー２１，コーナー２８には、斜面部Ｃに類似したＣ１−Ｃ２，コーナー２９には、斜面部Ａに類似したＡ１の斜面部となる。
【００２０】
図（ｃ）は特殊なケースで、符号４１は入口であり、直線水路５４を通って出口４４に繋がる。水路５４の両側には、斜面部Ｄに形状が類似する、斜面部Ｄ１，Ｄ２が配置される。図２・図３の符号を使って説明すれば、水路５４の端面８に沿って、ほぼ垂直に立ち上がる垂直壁部９とこの垂直壁部９と端面７で接合しており、壁面2から直線の水路２に向って斜め下向きの斜面板６を配置してコーナー斜面部Ｄ１を構成している。お互いの端面は接合されている。水路５４の反対側の端面１４に沿って、ほぼ垂直に立ち上がる垂直壁部１５とこの垂直壁部１５と端面１６で接合しており、かつ直線の水路５４に向って斜め下向きの斜面板１７を配置してコーナー斜面部Ｄ１を構成している。
【００２１】
集水桝のケース１は、上面が四角の形状で説明したが、これに限定されず、円形の形状であってもよい。
【００２２】
基本スタイルの例で説明すると、上記のように、ステンレス製の集水桝のケース１に水路２の形状に沿って前記ケース１の各壁面（４，５、１２，１３）から水路（２）に下向きの斜面板を有する斜面部（Ａ，Ｂ））を接合した形の構造としたので、設置が容易なうえ、汚水の性状に影響されずに流れやすく、衛生的な管理がしやすくなる効果を奏する。
【図面の簡単な説明】
【００２３】
【図１】本発明の一実施例のT字状の集水桝の概略斜視図である。
【図２】本発明の一実施例のＬ字状の集水桝の平面図である。
【図３】本発明の一実施例のＬ字状の集水桝の要部の分解斜視図である。
【図４】本発明の一実施例のＹＴ字状の集水桝の平面図である。
【図５】本発明の一実施例のＹＴ字状の集水桝の腰部の分解斜視図である。
【図６】図４の矢視A-Aから見た断面図である。
【図７】図４の矢視B-Bから見た断面図である。
【図８】本発明の一実施例のＹＴ字状の集水桝の変形例の平面図である。
【図９】本発明の一実施例の集水桝の変形例の平面図である。
【００２４】
１・・・集水桝のケース
２、１９、２０・・・水路
５１，５２，５３・・・水路
６、１７、２４・・・斜面板
Ａ，Ｂ，Ｃ，Ｄ・・・コーナー斜面部
【図１】
2005256307.tif 000003
【図２】
2005256307.tif 000004
【図３】
2005256307.tif 000005
【図４】
2005256307.tif 000006
【図５】
2005256307.tif 000007
【図６】
2005256307.tif 000008
【図７】
2005256307.tif 000009
【図８】
2005256307.tif 000010
【図９】
2005256307.tif 000011
【手続補正書】
【提出日】平成16年3月12日(2004.3.12)
【手続補正２】
【補正対象書類名】特許請求の範囲
【補正対象項目名】全文
【補正方法】変更
【補正の内容】
【特許請求の範囲】
【請求項１】
ステンレス製の集水桝のケース１にステンレス製の排水用の水路２を配置し、この水路２の形状に沿って前記ケース１の各壁面（４，５、１２，１３）から水路２に向って下向きのステンレス製の斜面板を有する斜面部（Ａ，Ｂ，Ｃ，Ｄ）を形成し、前記本体ケースと水路と斜面部とを接合した形の構造を特徴とするステレス製集水桝。
【請求項２】
前記斜面部において、Ｌ字状に曲がった水路２の内側面に前記ケース１のコーナーに繋がる各壁面（４，５）から水路２に斜め下側に向って配置された斜面板６と、前記コーナー３に対向する側のコーナー１１に繋がる各壁面（１２，１３）から水路外側面に斜め下側に向って配置された斜面板１７とを有する請求項１のステレス製集水桝。
【請求項３】
複数の水路を有するステレス製集水桝において、前記ケース１の各壁面（４，５、１２，１３）から、各水路の端面に向って斜め下側方向に配置された斜面板を有する請求項１のステレス製集水桝。
【手続補正３】
【補正対象書類名】明細書
【補正対象項目名】００１３
【補正方法】変更
【補正の内容】
【００１３】
基本形を応用したＹＴ形の変形例を説明する。概略は図1を使って上記で説明したが、図４に流路がＹＴ形の平面図を示し図５にその要部の斜視図を示す。
ＹＴ字状の水路１９は前記円弧形状でＬ字状に湾曲した水路２と前記直線形のステンレスパイプをほぼ2分割した形状の水路２０を接合した形の水路である。端部にはフランジ１８がある。図４のコーナー３にある斜面板の形状は、図１、図2，図３（ｃ）で説明した構造とほぼ同一であるので、同符号を付して説明を省略する。
【手続補正４】
【補正対象書類名】明細書
【補正対象項目名】００１７
【補正方法】変更
【補正の内容】
【００１７】
図８は図４の底面を示す図である。図４の水路２が左側にＬ字状に曲がったＹＴ字状の水路の配管をしてもよい。この場合は、斜面部ＡとＣが入れ替わった形状となる。
【手続補正５】
【補正対象書類名】明細書
【補正対象項目名】００２３
【補正方法】変更
【補正の内容】
【００２３】
【図１】本発明の一実施例のＹT字状の集水桝の概略斜視図である。
【図２】本発明の一実施例のＬ字状の集水桝の平面図である。
【図３】本発明の一実施例のＬ字状の集水桝の要部の分解斜視図である。
【図４】本発明の一実施例のＹＴ字状の集水桝の平面図である。
【図５】本発明の一実施例のＹＴ字状の集水桝の要部の分解斜視図である。
【図６】図４の矢視A-Aから見た断面図である。
【図７】図４の矢視B-Bから見た断面図である。
【図８】本発明の一実施例のＹＴ字状の集水桝の変形例の平面図である。
【図９】本発明の一実施例の集水桝の変形例の底面図である。
【手続補正６】
【補正対象書類名】図面
【補正対象項目名】図６
【補正方法】変更
【補正の内容】
【図６】
2005256307.tif 000012
【手続補正７】
【補正対象書類名】図面
【補正対象項目名】図７
【補正方法】変更
【補正の内容】
【図７】
2005256307.tif 000013
【手続補正８】
【補正対象書類名】図面
【補正対象項目名】図９
【補正方法】変更
【補正の内容】
【図９】
2005256307.tif 000014